(57)【特許請求の範囲】
【請求項１】
要求ユーザーがモバイルクライアントを用いて、現在の地理位置情報、配備されているブルートゥース通信機器の名称、及び前記ブルートゥース通信機器が検知したその他全てのブルートゥース通信機器の名称のネームリストを、前記モバイルクライアントと通信接続を構築している電子名刺伝達サーバーに送信し、前記電子名刺伝達サーバーから、所定の距離範囲内で且つブルートゥース通信機器の検知範囲内に存在する周辺のモバイルクライアントに対応するユーザーのユーザーリストを取得し、これにより要求ユーザーに対応するモバイルクライアントに、前記ユーザーリスト内のユーザーの簡単な身元情報が表示され、
要求ユーザーは、前記モバイルクライアントに表示された前記ユーザーリストから１又は複数のユーザーを電子名刺伝達の対象ユーザーとして選択すると、対象ユーザーに電子名刺を伝達する旨の、及び／又は対象ユーザーから電子名刺を取得する旨の電子名刺伝達要求を提示し、前記電子名刺伝達要求を前記電子名刺伝達サーバーに送信し、
前記電子名刺伝達サーバーは、選択された対象ユーザーに対応するモバイルクライアントに前記電子名刺伝達要求を送信し、対象ユーザーに対応する前記モバイルクライアントから送信された確認情報を受信すると、前記電子名刺伝達要求に応答して、要求ユーザーの電子名刺を対象ユーザーに対応するモバイルクライアントに伝達し、及び／又は対象ユーザーの電子名刺を要求ユーザーに対応するモバイルクライアントに伝達する、地理位置情報とブルートゥース無線技術を組み合わせた電子名刺伝達方法であって、
前記電子名刺伝達サーバーから、所定の距離範囲内で且つブルートゥース通信機器の検知範囲内に存在する周辺のモバイルクライアントに対応するユーザーのユーザーリストを取得し、要求ユーザーに対応するモバイルクライアントに前記ユーザーリスト内のユーザーの簡単な身元情報が表示されるにあたり、
前記電子名刺伝達サーバーは、各ユーザーに対応するモバイルクライアントから送信された地理位置情報を受信し、
要求ユーザーに応じて、前記電子名刺伝達サーバーは、所定の距離範囲内の周辺のモバイルクライアントに対応するユーザーのユーザーリストを要求ユーザーに提供し、要求ユーザーに対応するモバイルクライアントに、前記ユーザーリスト内のユーザーの簡単な身元情報を表示し、
前記電子名刺伝達サーバーは、各ユーザーに対応するモバイルクライアントから送信された、配備されているブルートゥース通信機器の名称のネームリスト、及び前記ブルートゥース通信機器が検知したその他全てのブルートゥース通信機器の名称を受信し、
要求ユーザーに応じて、前記電子名刺伝達サーバーは、元の、所定の距離範囲内のユーザーリストにおけるユーザーを選別して、ブルートゥース通信機器の検知範囲内に存在するターゲットユーザーを検出し、当該ターゲットユーザーとは、ターゲットユーザーに対応するモバイルクライアントに配備されたブルートゥース通信機器の名称が、要求ユーザーに対応するモバイルクライアントから送信された、検知したその他全てのブルートゥース通信機器の名称のネームリストに含まれるとともに、要求ユーザーに対応するモバイルクライアントに配備されたブルートゥース通信機器の名称が、ターゲットユーザーに対応するモバイルクライアントから送信された、検知したその他全てのブルートゥース通信機器の名称のネームリストに含まれる、との条件を満たすユーザーであり、要求ユーザーに対応するモバイルクライアントに、前記ユーザーリスト内のターゲットユーザーの簡単な身元情報を表示する、ことを特徴とする電子名刺伝達方法。
【請求項２】
要求ユーザーがモバイルクライアントを用いて、現在の地理位置情報、配備されているブルートゥース通信機器の名称、及び前記ブルートゥース通信機器が検知したその他全てのブルートゥース通信機器の名称のネームリストを、前記モバイルクライアントと通信接続を構築している電子名刺伝達サーバーに送信し、前記電子名刺伝達サーバーから、所定の距離範囲内で且つブルートゥース通信機器の検知範囲内に存在する周辺のモバイルクライアントに対応するユーザーのユーザーリストを取得し、これにより要求ユーザーに対応するモバイルクライアントに、前記ユーザーリスト内のユーザーの簡単な身元情報が表示され、
要求ユーザーは、前記モバイルクライアントに表示された前記ユーザーリストから１又は複数のユーザーを電子名刺伝達の対象ユーザーとして選択すると、対象ユーザーに電子名刺を伝達する旨の、及び／又は対象ユーザーから電子名刺を取得する旨の電子名刺伝達要求を提示し、前記電子名刺伝達要求を前記電子名刺伝達サーバーに送信し、
前記電子名刺伝達サーバーは、選択された対象ユーザーに対応するモバイルクライアントに前記電子名刺伝達要求を送信し、対象ユーザーに対応する前記モバイルクライアントから送信された確認情報を受信すると、前記電子名刺伝達要求に応答して、要求ユーザーの電子名刺を対象ユーザーに対応するモバイルクライアントに伝達し、及び／又は対象ユーザーの電子名刺を要求ユーザーに対応するモバイルクライアントに伝達する、地理位置情報とブルートゥース無線技術を組み合わせた電子名刺伝達方法であって、
前記電子名刺伝達サーバーから、所定の距離範囲内で、且つブルートゥース通信機器の検知範囲内に存在する周辺のモバイルクライアントに対応するユーザーのユーザーリストを取得し、要求ユーザーに対応するモバイルクライアントに前記ユーザーリスト内のユーザーの簡単な身元情報が表示されるにあたり、
前記電子名刺伝達サーバーは、各ユーザーに対応するモバイルクライアントから送信された、配備されているブルートゥース通信機器の名称のネームリスト、及び前記ブルートゥース通信機器が検知したその他全てのブルートゥース通信機器の名称を受信し、
要求ユーザーに応じて、前記電子名刺伝達サーバーは、ブルートゥース通信機器の検知範囲内に存在するユーザーを要求ユーザーに提供し、当該ユーザーとは、ユーザーに対応するモバイルクライアントに配備されたブルートゥース通信機器の名称が、要求ユーザーに対応するモバイルクライアントから送信された、検知したその他全てのブルートゥース通信機器の名称のネームリストに含まれるとともに、要求ユーザーに対応するモバイルクライアントに配備されたブルートゥース通信機器の名称が、ユーザーに対応するモバイルクライアントから送信された、検知したその他全てのブルートゥース通信機器の名称のネームリストに含まれる、との条件を満たすユーザーであり、要求ユーザーに対応するモバイルクライアントに、前記ユーザーリスト内のユーザーの簡単な身元情報を表示し、
前記電子名刺伝達サーバーは、各ユーザーに対応するモバイルクライアントから送信された地理位置情報を受信し、
要求ユーザーに応じて、前記電子名刺伝達サーバーは、元の、ブルートゥース通信機器の検知範囲内に存在するユーザーリスト内のユーザーを選別して、所定の距離範囲内に存在するターゲットユーザーを検出し、要求ユーザーに対応するモバイルクライアントに、前記ユーザーリスト内のターゲットユーザーの簡単な身元情報を表示する、ことを特徴とする電子名刺伝達方法。
【請求項３】
前記簡単な身元情報は、前記地理位置情報と共に前記電子名刺伝達サーバーに送信されるか、或いは、前記電子名刺伝達サーバーに予め記憶されている、ことを特徴とする請求項１又は２に記載の電子名刺伝達方法。
【請求項４】
前記電子名刺伝達サーバーは、更に、新たなモバイルクライアントから提供された現在の地理位置情報、モバイルクライアントから提供された現在の地理位置情報の変更状況、ユーザーから提供された簡単な身元情報の変更状況、配備されているブルートゥース通信機器の名称の変更状況、及び／又はブルートゥース通信機器が検知したその他全てのブルートゥース通信機器の名称のネームリストの変更状況に基づき、ユーザーリストを更新し、更新したユーザーリストとユーザーリスト内のユーザーの簡単な身元情報を要求ユーザーに対応するモバイルクライアントへ送信するとともに、ユーザーの電子名刺における情報を更新する、ことを特徴とする請求項１又は２に記載の電子名刺伝達方法。
【請求項５】
前記電子名刺は、要求ユーザーが電子名刺伝達要求を提示したとき、及び対象ユーザーが電子名刺伝達要求を確認したときに前記電子名刺伝達サーバーに送信されるか、或いは、要求ユーザーと対象ユーザーによって前記電子名刺伝達サーバーに予め記憶されている、ことを特徴とする請求項１又は２に記載の電子名刺伝達方法。
【請求項６】
電子名刺伝達サーバー、及び前記電子名刺伝達サーバーと通信接続を構築するモバイルクライアントを含み、
前記モバイルクライアントは、現在の地理位置情報、配備されているブルートゥース通信機器の名称、及び前記ブルートゥース通信機器が検知したその他全てのブルートゥース通信機器の名称のネームリストを前記電子名刺伝達サーバーに送信し、前記電子名刺伝達サーバーから、所定の距離範囲内で且つブルートゥース通信機器の検知範囲内に存在する周辺のモバイルクライアントに対応するユーザーのユーザーリストを取得し、前記ユーザーリスト内のユーザーの簡単な身元情報を表示するとともに、前記ユーザーリストから１又は複数のユーザーを電子名刺伝達の対象ユーザーとして選択すると、対象ユーザーに電子名刺を伝達する旨の、及び／又は対象ユーザーから電子名刺を取得する旨の電子名刺伝達要求を提示し、前記電子名刺伝達要求を前記電子名刺伝達サーバーに送信し、
前記電子名刺伝達サーバーは、選択された対象ユーザーに対応するモバイルクライアントに前記電子名刺伝達要求を送信し、対象ユーザーに対応する前記モバイルクライアントから送信された確認情報を受信すると、前記電子名刺伝達要求に応答して、要求ユーザーの電子名刺を対象ユーザーに対応するモバイルクライアントに伝達し、及び／又は対象ユーザーの電子名刺を要求ユーザーに対応するモバイルクライアントに伝達する、地理位置情報とブルートゥース無線技術を組み合わせた電子名刺伝達システムであって、
前記電子名刺伝達サーバーは、各ユーザーに対応するモバイルクライアントから送信された地理位置情報を受信し、
要求ユーザーに応じて、前記電子名刺伝達サーバーは、所定の距離範囲内の周辺のモバイルクライアントに対応するユーザーのユーザーリストを要求ユーザーに提供し、要求ユーザーに対応するモバイルクライアントに、前記ユーザーリスト内のユーザーの簡単な身元情報を表示し、
前記電子名刺伝達サーバーは、各ユーザーに対応するモバイルクライアントから送信された、配備されているブルートゥース通信機器の名称のネームリスト、及び前記ブルートゥース通信機器が検知したその他全てのブルートゥース通信機器の名称を受信し、
要求ユーザーに応じて、前記電子名刺伝達サーバーは、元の、所定の距離範囲内のユーザーリストにおけるユーザーを選別して、ブルートゥース通信機器の検知範囲内に存在するターゲットユーザーを検出し、当該ターゲットユーザーとは、ターゲットユーザーに対応するモバイルクライアントに配備されたブルートゥース通信機器の名称が、要求ユーザーに対応するモバイルクライアントから送信された、検知したその他全てのブルートゥース通信機器の名称のネームリストに含まれるとともに、要求ユーザーに対応するモバイルクライアントに配備されたブルートゥース通信機器の名称が、ターゲットユーザーに対応するモバイルクライアントから送信された、検知したその他全てのブルートゥース通信機器の名称のネームリストに含まれる、との条件を満たすユーザーであり、要求ユーザーに対応するモバイルクライアントに、前記ユーザーリスト内のターゲットユーザーの簡単な身元情報を表示することにより、
前記電子名刺伝達サーバーから、所定の距離範囲内で且つブルートゥース通信機器の検知範囲内に存在する周辺のモバイルクライアントに対応するユーザーのユーザーリストを取得し、要求ユーザーに対応するモバイルクライアントに前記ユーザーリスト内のユーザーの簡単な身元情報を表示する、ことを特徴とする電子名刺伝達システム。
【請求項７】
電子名刺伝達サーバー、及び前記電子名刺伝達サーバーと通信接続を構築するモバイルクライアントを含み、
前記モバイルクライアントは、現在の地理位置情報、配備されているブルートゥース通信機器の名称、及び前記ブルートゥース通信機器が検知したその他全てのブルートゥース通信機器の名称のネームリストを前記電子名刺伝達サーバーに送信し、前記電子名刺伝達サーバーから、所定の距離範囲内で且つブルートゥース通信機器の検知範囲内に存在する周辺のモバイルクライアントに対応するユーザーのユーザーリストを取得し、前記ユーザーリスト内のユーザーの簡単な身元情報を表示するとともに、前記ユーザーリストから１又は複数のユーザーを電子名刺伝達の対象ユーザーとして選択すると、対象ユーザーに電子名刺を伝達する旨の、及び／又は対象ユーザーから電子名刺を取得する旨の電子名刺伝達要求を提示し、前記電子名刺伝達要求を前記電子名刺伝達サーバーに送信し、
前記電子名刺伝達サーバーは、選択された対象ユーザーに対応するモバイルクライアントに前記電子名刺伝達要求を送信し、対象ユーザーに対応する前記モバイルクライアントから送信された確認情報を受信すると、前記電子名刺伝達要求に応答して、要求ユーザーの電子名刺を対象ユーザーに対応するモバイルクライアントに伝達し、及び／又は対象ユーザーの電子名刺を要求ユーザーに対応するモバイルクライアントに伝達する、地理位置情報とブルートゥース無線技術を組み合わせた電子名刺伝達システムであって、
前記電子名刺伝達サーバーは、各ユーザーに対応するモバイルクライアントから送信された、配備されているブルートゥース通信機器の名称のネームリスト、及び前記ブルートゥース通信機器が検知したその他全てのブルートゥース通信機器の名称を受信し、
要求ユーザーに応じて、前記電子名刺伝達サーバーは、ブルートゥース通信機器の検知範囲内に存在するユーザーを要求ユーザーに提供し、当該ユーザーとは、ユーザーに対応するモバイルクライアントに配備されたブルートゥース通信機器の名称が、要求ユーザーに対応するモバイルクライアントから送信された、検知したその他全てのブルートゥース通信機器の名称のネームリストに含まれるとともに、要求ユーザーに対応するモバイルクライアントに配備されたブルートゥース通信機器の名称が、ユーザーに対応するモバイルクライアントから送信された、検知したその他全てのブルートゥース通信機器の名称のネームリストに含まれる、との条件を満たすユーザーであり、要求ユーザーに対応するモバイルクライアントに、前記ユーザーリスト内のユーザーの簡単な身元情報を表示し、
前記電子名刺伝達サーバーは、各ユーザーに対応するモバイルクライアントから送信された地理位置情報を受信し、
要求ユーザーに応じて、前記電子名刺伝達サーバーは、元の、ブルートゥース通信機器の検知範囲内に存在するユーザーリスト内のユーザーを選別して、所定の距離範囲内に存在するターゲットユーザーを検出し、要求ユーザーに対応するモバイルクライアントに、前記ユーザーリスト内のターゲットユーザーの簡単な身元情報を表示することにより、
前記電子名刺伝達サーバーから、所定の距離範囲内で、且つブルートゥース通信機器の検知範囲内に存在する周辺のモバイルクライアントに対応するユーザーのユーザーリストを取得し、要求ユーザーに対応するモバイルクライアントに前記ユーザーリスト内のユーザーの簡単な身元情報を表示する、ことを特徴とする電子名刺伝達システム。
【請求項８】
前記モバイルクライアントは、
現在の地理位置情報を取得するための位置決め手段、
配備されているブルートゥース通信機器の名称、及びブルートゥース通信機器が検知したその他全てのブルートゥース通信機器の名称のネームリストを提供するためのブルートゥース情報提供手段、
現在の地理位置情報、配備されているブルートゥース通信機器の名称、ブルートゥース通信機器が検知したその他全てのブルートゥース通信機器の名称のネームリスト、簡単な身元情報及び／又は電子名刺を前記電子名刺伝達サーバーへ送信し、前記電子名刺伝達サーバーが検出した所定の距離範囲内で且つブルートゥース通信機器の検知範囲内に存在する周辺のモバイルクライアントに対応するユーザーのユーザーリスト、及びリスト内のユーザーの簡単な身元情報を受信し、前記電子名刺伝達サーバーからの電子名刺を受信するための情報送受信手段、
表示手段、
前記表示手段に表示されている前記電子名刺伝達サーバーからのユーザーリストより、１又は複数のユーザーを電子名刺伝達の対象ユーザーとして選択するための選択手段、
前記選択手段に選択された対象ユーザーに対して、対象ユーザーに電子名刺を伝達する旨の、及び／又は対象ユーザーから電子名刺を取得する旨の電子名刺伝達要求を生成し、前記電子名刺伝達要求は、前記電子名刺伝達サーバーを介して、選択された対象ユーザーに対応する前記モバイルクライアントに送信される電子名刺伝達要求手段、
要求ユーザーに対応する前記モバイルクライアントから送信された電子名刺伝達要求を確認し、前記確認情報を前記電子名刺伝達サーバーに送信するための要求確認手段、
自身のユーザーの電子名刺、及び、前記情報送受信手段によって受信された、前記電子名刺伝達サーバーが対象ユーザーに対応する前記モバイルクライアントの確認情報に応答して送信した対象ユーザーの電子名刺を記憶するための記憶手段、を含み、
前記電子名刺伝達サーバーは、
各前記モバイルクライアントから送信された現在の地理位置情報、配備されているブルートゥース通信機器の名称、ブルートゥース通信機器が検知したその他全てのブルートゥース通信機器の名称のネームリスト、簡単な身元情報及び／又は電子名刺を受信し、収集したユーザーの簡単な身元情報、及び／又は電子名刺を各前記モバイルクライアントに送信するとともに、要求ユーザーに対応するモバイルクライアントから送信された電子名刺伝達要求を、選択された対象ユーザーに対応するモバイルクライアントへ送信し、前記電子名刺伝達要求は、対象ユーザーへの電子名刺の伝達及び／又は対象ユーザーからの電子名刺の取得を含む情報送受信手段、
要求ユーザーに対応する前記モバイルクライアントから送信された現在の地理位置情報を受信すると、その他のユーザーと要求ユーザーとの距離が所定の距離範囲内であるか否かを判定すべく、要求ユーザーに対応する前記モバイルクライアントの現在の地理位置情報と、その他のユーザーに対応するモバイルクライアントの現在の地理位置情報とを分析するための地理位置情報確認手段、
要求ユーザーに対応する前記モバイルクライアントから送信された、配備されているブルートゥース通信機器の名称、及び前記ブルートゥース通信機器が検知したその他全てのブルートゥース通信機器の名称のネームリストを受信すると、前記ネームリストからブルートゥース通信機器の検知範囲内に存在するユーザーを検出するブルートゥース情報検出手段、
前記地理位置情報確認手段によって確認された所定の距離範囲内であって、且つ前記ブルートゥース情報検出手段によって検出されたブルートゥース通信機器の検知範囲内の周辺のモバイルクライアントに対応するユーザーのユーザーリストを、要求ユーザーに対応する前記モバイルクライアントに送信し、前記モバイルクライアントに、前記ユーザーリスト内のユーザーの簡単な身元情報を表示するための身元情報提供手段、
対象ユーザーに対応する前記モバイルクライアントから送信された確認情報を受信すると、前記電子名刺伝達要求に応答し、前記情報送受信手段によって、要求ユーザーの電子名刺を対象ユーザーに対応するモバイルクライアントに伝達し、及び／又は対象ユーザーの電子名刺を要求ユーザーに対応するモバイルクライアントに伝達するための電子名刺提供手段、
各前記モバイルクライアントから送信された現在の地理位置情報、配備されているブルートゥース通信機器の名称、ブルートゥース通信機器が検知したその他全てのブルートゥース通信機器の名称のネームリスト、各前記モバイルクライアントに対応するユーザーの簡単な身元情報及び／又は電子名刺を記憶するためのデータベース、を含む、ことを特徴とする請求項６又は７に記載の電子名刺伝達システム。
【請求項９】
前記電子名刺伝達サーバーは、更に、新たなモバイルクライアントから提供された現在の地理位置情報、モバイルクライアントから提供された現在の地理位置情報の変更状況、ユーザーから提供された簡単な身元情報の変更状況、配備されているブルートゥース通信機器の名称の変更状況、及び／又はブルートゥース通信機器が検知したその他全てのブルートゥース通信機器の名称のネームリストの変更状況に基づき、ユーザーリストを更新し、更新したユーザーリストとユーザーリスト内のユーザーの簡単な身元情報を要求ユーザーに対応するモバイルクライアントへ送信するとともに、ユーザーの電子名刺における情報を更新するための更新手段を含む、ことを特徴とする請求項６又は７に記載の電子名刺伝達システム。
【請求項１０】
前記簡単な身元情報は、前記地理位置情報と共に前記電子名刺伝達サーバーに送信されるか、或いは、前記電子名刺伝達サーバーに予め記憶されている、ことを特徴とする請求項６〜９のいずれか１項に記載の電子名刺伝達システム。
【請求項１１】
前記電子名刺は、要求ユーザーが電子名刺伝達要求を提示したとき、及び対象ユーザーが電子名刺伝達要求を確認したときに前記電子名刺伝達サーバーに送信されるか、或いは、要求ユーザーと対象ユーザーによって前記電子名刺伝達サーバーに予め記憶されている、ことを特徴とする請求項６〜９のいずれか１項に記載の電子名刺伝達システム。 
【発明の詳細な説明】
【技術分野】
【０００１】
本発明は情報の処理及び交換分野に関し、特に、地理位置情報とブルートゥース無線技術を組み合わせた電子名刺伝達方法、及び前記伝達方法を実現する伝達システムに関する。
【背景技術】
【０００２】
名刺は、連絡方法を記載及び伝達するためにしばしば用いられる媒体であって、日常的な活動の場においては往々にして大量の名刺交換が行われ、人々は名刺交換によって連絡方法を伝達し合い、他者との関係を構築する。
【０００３】
現在、大部分の人は名刺交換において印刷された紙製の名刺をやり取りしているが、従来のような紙製名刺の交換においては、他人の紙製名刺を受け取った後に、通常は名刺情報（主に氏名、職業、職務、職場を含み、電話やＥ−ｍａｉｌなどの連絡方法を含むほか、更に社名、住所及び会社の業務分野といった企業情報を含むこともある）を電子化処理し、人為的に入力することによって名刺情報をコンピューターやモバイル端末の住所録に記憶させねばならず、手間がかかる。また、遠隔交流（例えば電話）や対面での会話交流（紙製名刺なし）において連絡方法を伝える必要がある場合、例えば電話番号、携帯電話番号、電子メール、住所、職場名といった相手の情報資料を記録するためには、メモ帳を用いてこれら情報資料を記録したり、人為的にコンピューターやモバイル端末の住所録に入力したりせねばならないことが多い。そのため、情報資料の入力操作が煩雑であるともに、情報資料の入力精度を保証できず、資料の不備や誤りが度々発生していた。
【０００４】
現在、一部のカメラ付きモバイル端末（携帯電話、ＰＤＡ、タブレットパソコン又はノートパソコン等）では名刺スキャニング機能が備わっており、カメラのマクロ機能を利用して名刺を直接撮像するだけで、撮像した名刺画像を画像処理と光学文字認識（ＯＣＲ，Ｏｐｔｉｃａｌ  Ｃｈａｒａｃｔｅｒ  Ｒｅｃｏｇｎｉｔｉｏｎ）の原理で自動的に処理及び認識し、名刺の氏名、電話、ｅ−ｍａｉｌ等の情報資料を自動的に抽出して住所録に追加するため、名刺に記載された連絡先情報を電子機器に入力するにあたっての利便性が大いに高まっている。とはいえ、ＯＣＲで認識される文字は１００%正確というわけではなく、ユーザーによる人為的なチェック及び修正が必要であることから、電子名刺を直接伝達・交換する場合に比べてやはり手間がかかる。また、上述のような応用シーンのうち、印刷された紙製名刺を交換した後の入力の問題に関しては部分的に解決されているものの、遠隔交流や名刺がない場合の入力の問題については未だ解決されていない。
【０００５】
一方で、時流に応じて電子名刺が出現しており、一部のモバイル端末は名刺を編集及び交換する機能を備え、電子名刺交換機能を実現するには、通信ネットワーク方式で単方向の送信や双方向の交換を実施すればよい。電子名刺の送信には、ショートメール、データ通信、電子メール等の方式が用いられる。
【０００６】
現在市販されているモバイル端末は、一般的にＧＰＳ位置決定、及びブルートゥース（Ｂｌｕｅｔｏｏｔｈ）無線技術をサポートしている。ＧＰＳ位置決定の精度には一定の誤差範囲が存在する。室外でＧＰＳ衛星に直接接続できる場合、民間用のＧＰＳ位置決定システムの誤差範囲は通常２０ｍ以内であるが、室内の場合、ＧＰＳ位置決定の精度は大幅に低下し、誤差が数百メートルに達することもある。一方、ブルートゥース無線技術の通信距離は約８ｍ〜３０ｍの間であり、ブルートゥース通信機器それぞれの検知範囲内である２又は複数のユーザー間でブルートゥース無線技術を介したデータ通信を行う場合、これらユーザーは予めパスワードを取り決めておく必要があり、同じパスワードを入力することで接続を構築してからブルートゥース接続によってデータ通信を行うが、この操作は不便である。
【発明の概要】
【発明が解決しようとする課題】
【０００７】
本発明は、従来技術における名刺をスムーズに伝達できず、名刺情報の抽出操作が煩雑で誤りが生じるとの課題を解決するための、地理位置情報とブルートゥース無線技術を組み合わせた電子名刺伝達方法及びシステムを提供することを目的とする。
【課題を解決するための手段】
【０００８】
本発明は、一局面において、地理位置情報とブルートゥース技術を組み合わせた電子名刺伝達方法を提供し、当該方法では、要求ユーザーはモバイルクライアントを用いて、現在の地理位置情報、配備されているブルートゥース通信機器の名称、及び前記ブルートゥース通信機器が検知したその他全てのブルートゥース通信機器の名称のネームリストを、前記モバイルクライアントと通信接続を構築している電子名刺伝達サーバーに送信し、前記電子名刺伝達サーバーから、所定の距離範囲内で且つブルートゥース通信機器の検知範囲内に存在する周辺のモバイルクライアントに対応するユーザーのユーザーリストを取得し、要求ユーザーに対応するモバイルクライアントに、前記ユーザーリスト内のユーザーの簡単な身元情報が表示され、要求ユーザーは、前記モバイルクライアントに表示された前記ユーザーリストから１又は複数のユーザーを電子名刺伝達の対象ユーザーとして選択すると、対象ユーザーに電子名刺を伝達する旨の、及び／又は対象ユーザーから電子名刺を取得する旨の電子名刺伝達要求を提示し、前記電子名刺伝達要求を前記電子名刺伝達サーバーに送信し、前記電子名刺伝達サーバーは、選択された対象ユーザーに対応するモバイルクライアントに前記電子名刺伝達要求を送信し、対象ユーザーに対応する前記モバイルクライアントから送信された確認情報を受信すると、前記電子名刺伝達要求に応答して、要求ユーザーの電子名刺を対象ユーザーに対応するモバイルクライアントに伝達し、及び／又は対象ユーザーの電子名刺を要求ユーザーに対応するモバイルクライアントに伝達する。
【０００９】
好ましくは、前記簡単な身元情報は、前記地理位置情報と共に前記電子名刺伝達サーバーに送信されるか、或いは、前記電子名刺伝達サーバーに予め記憶されている。
【００１０】
好ましくは、前記電子名刺伝達サーバーから、所定の距離範囲内で且つブルートゥース通信機器の検知範囲内に存在する周辺のモバイルクライアントに対応するユーザーのユーザーリストを取得し、要求ユーザーに対応するモバイルクライアントに前記ユーザーリスト内のユーザーの簡単な身元情報が表示されるにあたり、前記電子名刺伝達サーバーは、各ユーザーに対応するモバイルクライアントから送信された地理位置情報を受信し、要求ユーザーに応じて、前記電子名刺伝達サーバーは、所定の距離範囲内の周辺のモバイルクライアントに対応するユーザーのユーザーリストを要求ユーザーに提供し、要求ユーザーに対応するモバイルクライアントに、前記ユーザーリスト内のユーザーの簡単な身元情報を表示し、前記電子名刺伝達サーバーは、各ユーザーに対応するモバイルクライアントから送信された、配備されているブルートゥース通信機器の名称のネームリスト、及び前記ブルートゥース通信機器が検知したその他全てのブルートゥース通信機器の名称を受信し、要求ユーザーに応じて、前記電子名刺伝達サーバーは、元の、所定の距離範囲内のユーザーリストにおけるユーザーを選別して、ブルートゥース通信機器の検知範囲内に存在するターゲットユーザーを検出し、当該ターゲットユーザーとは、ターゲットユーザーに対応するモバイルクライアントに配備されたブルートゥース通信機器の名称が、要求ユーザーに対応するモバイルクライアントから送信された、検知したその他全てのブルートゥース通信機器の名称のネームリストに含まれるとともに、要求ユーザーに対応するモバイルクライアントに配備されたブルートゥース通信機器の名称が、ターゲットユーザーに対応するモバイルクライアントから送信された、検知したその他全てのブルートゥース通信機器の名称のネームリストに含まれる、との条件を満たすユーザーであり、要求ユーザーに対応するモバイルクライアントに、前記ユーザーリスト内のターゲットユーザーの簡単な身元情報を表示する。
【００１１】
好ましくは、前記電子名刺伝達サーバーから、所定の距離範囲内で、且つブルートゥース通信機器の検知範囲内に存在する周辺のモバイルクライアントに対応するユーザーのユーザーリストを取得し、要求ユーザーに対応するモバイルクライアントに前記ユーザーリスト内のユーザーの簡単な身元情報が表示されるにあたり、前記電子名刺伝達サーバーは、各ユーザーに対応するモバイルクライアントから送信された、配備されているブルートゥース通信機器の名称のネームリスト、及び前記ブルートゥース通信機器が検知したその他全てのブルートゥース通信機器の名称を受信し、要求ユーザーに応じて、前記電子名刺伝達サーバーは、ブルートゥース通信機器の検知範囲内に存在するユーザーを要求ユーザーに提供し、当該ユーザーとは、ユーザーに対応するモバイルクライアントに配備されたブルートゥース通信機器の名称が、要求ユーザーに対応するモバイルクライアントから送信された、検知したその他全てのブルートゥース通信機器の名称のネームリストに含まれるとともに、要求ユーザーに対応するモバイルクライアントに配備されたブルートゥース通信機器の名称が、ユーザーに対応するモバイルクライアントから送信された、検知したその他全てのブルートゥース通信機器の名称のネームリストに含まれる、との条件を満たすユーザーであり、要求ユーザーに対応するモバイルクライアントに、前記ユーザーリスト内のユーザーの簡単な身元情報を表示し、前記電子名刺伝達サーバーは、各ユーザーに対応するモバイルクライアントから送信された地理位置情報を受信し、要求ユーザーに応じて、前記電子名刺伝達サーバーは、元の、ブルートゥース通信機器の検知範囲内に存在するユーザーリスト内のユーザーを選別して、所定の距離範囲内に存在するターゲットユーザーを検出し、要求ユーザーに対応するモバイルクライアントに、前記ユーザーリスト内のターゲットユーザーの簡単な身元情報を表示する。
【００１２】
好ましくは、前記電子名刺伝達サーバーは、更に、新たなモバイルクライアントから提供された現在の地理位置情報、モバイルクライアントから提供された現在の地理位置情報の変更状況、ユーザーから提供された簡単な身元情報の変更状況、配備されているブルートゥース通信機器の名称の変更状況、及び／又はブルートゥース通信機器が検知したその他全てのブルートゥース通信機器の名称のネームリストの変更状況に基づき、ユーザーリストを更新し、更新したユーザーリストとユーザーリスト内のユーザーの簡単な身元情報を要求ユーザーに対応するモバイルクライアントへ送信するとともに、ユーザーの電子名刺における情報を更新する。
【００１３】
好ましくは、前記電子名刺は、要求ユーザーが電子名刺伝達要求を提示したとき、及び対象ユーザーが電子名刺伝達要求を確認したときに前記電子名刺伝達サーバーに送信されるか、或いは、要求ユーザーと対象ユーザーによって前記電子名刺伝達サーバーに予め記憶されている。
【００１４】
本発明は、他の局面において、地理位置情報とブルートゥース無線技術を組み合わせた電子名刺伝達システムであって、電子名刺伝達サーバー、及び前記電子名刺伝達サーバーと通信接続を構築するモバイルクライアントを含み、前記モバイルクライアントは、現在の地理位置情報、配備されているブルートゥース通信機器の名称、及び前記ブルートゥース通信機器が検知したその他全てのブルートゥース通信機器の名称のネームリストを前記電子名刺伝達サーバーに送信し、前記電子名刺伝達サーバーから、所定の距離範囲内で且つブルートゥース通信機器の検知範囲内に存在する周辺のモバイルクライアントに対応するユーザーのユーザーリストを取得し、前記ユーザーリスト内のユーザーの簡単な身元情報を表示するとともに、前記ユーザーリストから１又は複数のユーザーを電子名刺伝達の対象ユーザーとして選択すると、対象ユーザーに電子名刺を伝達する旨の、及び／又は対象ユーザーから電子名刺を取得する旨の電子名刺伝達要求を提示し、前記電子名刺伝達要求を前記電子名刺伝達サーバーに送信し、前記電子名刺伝達サーバーは、選択された対象ユーザーに対応するモバイルクライアントに前記電子名刺伝達要求を送信し、対象ユーザーに対応する前記モバイルクライアントから送信された確認情報を受信すると、前記電子名刺伝達要求に応答して、要求ユーザーの電子名刺を対象ユーザーに対応するモバイルクライアントに伝達し、及び／又は対象ユーザーの電子名刺を要求ユーザーに対応するモバイルクライアントに伝達する。
【００１５】
好ましくは、前記モバイルクライアントは、現在の地理位置情報を取得するための位置決め手段、配備されているブルートゥース通信機器の名称、及びブルートゥース通信機器が検知したその他全てのブルートゥース通信機器の名称のネームリストを提供するためのブルートゥース情報提供手段、現在の地理位置情報、配備されているブルートゥース通信機器の名称、ブルートゥース通信機器が検知したその他全てのブルートゥース通信機器の名称のネームリスト、簡単な身元情報及び／又は電子名刺を前記電子名刺伝達サーバーへ送信し、前記電子名刺伝達サーバーが検出した所定の距離範囲内で且つブルートゥース通信機器の検知範囲内に存在する周辺のモバイルクライアントに対応するユーザーのユーザーリスト、及びリスト内のユーザーの簡単な身元情報を受信し、前記電子名刺伝達サーバーからの電子名刺を受信するための情報送受信手段、表示手段、前記表示手段に表示されている前記電子名刺伝達サーバーからのユーザーリストより、１又は複数のユーザーを電子名刺伝達の対象ユーザーとして選択するための選択手段、前記選択手段に選択された対象ユーザーに対して、対象ユーザーに電子名刺を伝達する旨の、及び／又は対象ユーザーから電子名刺を取得する旨の電子名刺伝達要求を生成し、前記電子名刺伝達要求は、前記電子名刺伝達サーバーを介して、選択された対象ユーザーに対応する前記モバイルクライアントに送信される電子名刺伝達要求手段、要求ユーザーに対応する前記モバイルクライアントから送信された電子名刺伝達要求を確認し、前記確認情報を前記電子名刺伝達サーバーに送信するための要求確認手段、自身のユーザーの電子名刺、及び、前記情報送受信手段によって受信された、前記電子名刺伝達サーバーが対象ユーザーに対応する前記モバイルクライアントの確認情報に応答して送信した対象ユーザーの電子名刺を記憶するための記憶手段、を含む。
【００１６】
前記電子名刺伝達サーバーは、各前記モバイルクライアントから送信された現在の地理位置情報、配備されているブルートゥース通信機器の名称、ブルートゥース通信機器が検知したその他全てのブルートゥース通信機器の名称のネームリスト、簡単な身元情報及び／又は電子名刺を受信し、収集したユーザーの簡単な身元情報、及び／又は電子名刺を各前記モバイルクライアントに送信するとともに、要求ユーザーに対応するモバイルクライアントから送信された電子名刺伝達要求を、選択された対象ユーザーに対応するモバイルクライアントへ送信し、前記電子名刺伝達要求は、対象ユーザーへの電子名刺の伝達及び／又は対象ユーザーからの電子名刺の取得を含む情報送受信手段、要求ユーザーに対応する前記モバイルクライアントから送信された現在の地理位置情報を受信すると、その他のユーザーと要求ユーザーとの距離が所定の距離範囲内であるか否かを判定すべく、要求ユーザーに対応する前記モバイルクライアントの現在の地理位置情報と、その他のユーザーに対応するモバイルクライアントの現在の地理位置情報とを分析するための地理位置情報確認手段、要求ユーザーに対応する前記モバイルクライアントから送信された、配備されているブルートゥース通信機器の名称、及び前記ブルートゥース通信機器が検知したその他全てのブルートゥース通信機器の名称のネームリストを受信すると、前記ネームリストからブルートゥース通信機器の検知範囲内に存在するユーザーを検出するブルートゥース情報検出手段、前記地理位置情報確認手段によって確認された所定の距離範囲内であって、且つ前記ブルートゥース情報検出手段によって検出されたブルートゥース通信機器の検知範囲内の周辺のモバイルクライアントに対応するユーザーのユーザーリストを、要求ユーザーに対応する前記モバイルクライアントに送信し、前記モバイルクライアントに、前記ユーザーリスト内のユーザーの簡単な身元情報を表示するための身元情報提供手段、対象ユーザーに対応する前記モバイルクライアントから送信された確認情報を受信すると、前記電子名刺伝達要求に応答し、前記情報送受信手段によって、要求ユーザーの電子名刺を対象ユーザーに対応するモバイルクライアントに伝達し、及び／又は対象ユーザーの電子名刺を要求ユーザーに対応するモバイルクライアントに伝達するための電子名刺提供手段、各前記モバイルクライアントから送信された現在の地理位置情報、配備されているブルートゥース通信機器の名称、ブルートゥース通信機器が検知したその他全てのブルートゥース通信機器の名称のネームリスト、各前記モバイルクライアントに対応するユーザーの簡単な身元情報及び／又は電子名刺を記憶するためのデータベース、を含む。
【００１７】
好ましくは、前記電子名刺伝達サーバーは、更に、新たなモバイルクライアントから提供された現在の地理位置情報、モバイルクライアントから提供された現在の地理位置情報の変更状況、ユーザーから提供された簡単な身元情報の変更状況、配備されているブルートゥース通信機器の名称の変更状況、及び／又はブルートゥース通信機器が検知したその他全てのブルートゥース通信機器の名称のネームリストの変更状況に基づき、ユーザーリストを更新し、更新したユーザーリストとユーザーリスト内のユーザーの簡単な身元情報を要求ユーザーに対応するモバイルクライアントへ送信するとともに、ユーザーの電子名刺における情報を更新するための更新手段を含む。
【００１８】
好ましくは、前記簡単な身元情報は、前記地理位置情報と共に前記電子名刺伝達サーバーに送信されるか、或いは、前記電子名刺伝達サーバーに予め記憶されている。
【００１９】
好ましくは、前記電子名刺は、要求ユーザーが電子名刺伝達要求を提示したとき、及び対象ユーザーが電子名刺伝達要求を確認したときに前記電子名刺伝達サーバーに送信されるか、或いは、要求ユーザーと対象ユーザーによって前記電子名刺伝達サーバーに予め記憶されている。
【発明の効果】
【００２０】
本発明は、地理位置情報とブルートゥース無線技術を組み合わせた電子名刺伝達方法及びシステムを提供する。当該方法及びシステムは、電子名刺伝達サーバーを用いて、各モバイルクライアントの地理位置情報、配備されているブルートゥース通信機器の名称、ブルートゥース通信機器が検知したその他全てのブルートゥース通信機器の名称のネームリスト、及びユーザーの簡単な身元情報を収集することで、要求ユーザーがこれら情報に基づいて、所定の距離範囲内であって且つブルートゥース通信機器の検知範囲内に存在する１又は複数のユーザーを選択して電子名刺の伝達を行うことを可能とするため、電子名刺の伝達が利便化され、従来技術と比較して操作が簡単となり、且つ電子名刺の内容の精度と安全性が保証される。
【００２１】
また、本発明によれば、ブルートゥース通信機器の接続状況のみからユーザー間の地理位置上の距離を見積もることができるため、実際にブルートゥース接続を構築する必要がなく、ブルートゥース無線通信接続の構築に必要なパスワード入力の手間を省くことができる。
【図面の簡単な説明】
【００２２】
【図１】本発明の電子名刺伝達システムの枠組みを示す図である。
【図２】本発明の電子名刺伝達システムの構造を示す図である。
【図３】本発明の電子名刺伝達方法のフローチャートである。
【図４】異なる実現形態における図３のステップＳ２０３のフローチャートである。
【図５】異なる実現形態における図３のステップＳ２０３のフローチャートである。
【図６】異なる実現形態における図３のステップＳ２０３のフローチャートである。
【発明を実施するための形態】
【００２３】
本発明の発明者は、従来の名刺情報の保存においては、電子記憶装置に対し人為的に直接入力したり、或いは、撮像した名刺を画像処理と光学文字認識の技術を用いて処理及び認識してから保存したり、或いは、ショートメールやメール方式で電子名刺の内容をテキスト形式で送信したり、或いは、ブルートゥース無線技術によりデータ通信を行ったり等を必要とするが、いずれも情報資料の入力操作が煩雑で、名刺情報の管理に不便であり、且つ情報資料の入力精度を保証できない等の問題を不可避であることに気付いた。
【００２４】
そこで、本発明の発明者は従来技術を改良し、地理位置情報とブルートゥース無線技術を組み合わせた電子名刺伝達方法及びシステムを提供する。当該方法及びシステムでは、各モバイルクライアントの地理位置情報、配備されているブルートゥース通信機器の名称、ブルートゥース通信機器が検知したその他全てのブルートゥース通信機器の名称のネームリストを用いることで、電子名刺伝達サーバーが要求ユーザーに対して、所定の距離範囲内であり且つブルートゥース通信機器の検知範囲内に存在するその他のユーザーを提供し、要求ユーザーは上記の情報に基づいて、その中から１又は複数のユーザーを選択して電子名刺を伝達することができるため、電子名刺の伝達が利便化され、従来技術と比較して操作が簡単であり、且つ電子名刺の内容の精度と安全性を保証可能である。
【００２５】
以下に、具体的な実施例を用いて発明を詳細に説明する。
【００２６】
図１は、本発明の電子名刺伝達システムの枠組みを示す図である。
【００２７】
図１に示すように、前記電子名刺伝達システムは、電子名刺伝達サーバー１０、電子名刺伝達サーバー１０とネットワークを構築する１又は複数のモバイルクライアント１２を含む。ネットワーク接続によって、各モバイルクライアント１２は一体に接続される。電子名刺伝達サーバー１０を用いることで、各モバイルクライアント１２からの電子名刺を含む情報を収集、閲覧、管理することが可能となり、また、モバイルクライアント１２から発信された電子名刺伝達要求に基づいて、所望の電子名刺を前記モバイルクライアント１２に提供することができるため、電子名刺の伝達が利便化されるとともに、操作が簡単で且つ電子名刺の内容の精度と安全性を保証可能である。
【００２８】
図２は、本発明の電子名刺伝達システムの構造を示す図である。
【００２９】
モバイルクライアント１２は、現在の地理位置情報、配備されているブルートゥース通信機器の名称、及び前記ブルートゥース通信機器が検知したその他全てのブルートゥース通信機器の名称のネームリストを電子名刺伝達サーバー１０に送信する。そして、電子名刺伝達サーバー１０から、所定の距離範囲内で且つブルートゥース通信機器の検知範囲内に存在する周辺のモバイルクライアントに対応するユーザーのユーザーリストを取得し、前記ユーザーリスト内のユーザーの簡単な身元情報を表示する。そして、前記ユーザーリストから１又は複数のユーザーを電子名刺伝達の対象ユーザーとして選択すると、対象ユーザーに電子名刺を伝達する旨の、及び／又は対象ユーザーから電子名刺を取得する旨の電子名刺伝達要求を提示し、当該電子名刺伝達要求を電子名刺伝達サーバー１０に送信する。
【００３０】
図２に示すように、モバイルクライアント１２は、情報送受信手段１２０、位置決め手段１２１、ブルートゥース情報提供手段１２２、表示手段１２３、選択手段１２４、電子名刺伝達要求手段１２５、要求確認手段１２６及び記憶手段１２７を含む。具体的な応用においては、モバイルクライアント１２は、携帯電話、ＰＤＡ、タブレットパソコン及びノートパソコンのいずれかとしてもよい。
【００３１】
次に、モバイルクライアント１２における上記各手段について詳述する。
【００３２】
情報送受信手段１２０は、電子名刺伝達サーバー１０と通信接続を構築し、情報の相互伝達を行うのに用いられる。本発明において、前記情報は、現在の地理位置情報、配備されているブルートゥース通信機器の名称、ブルートゥース通信機器が検知したその他全てのブルートゥース通信機器の名称のネームリスト、ユーザーの簡単な身元情報及び電子名刺などを含む。
【００３３】
ここで、モバイルクライアント１２は電子名刺伝達サーバー１０とネットワークを構築するが、前記通信ネットワークは、ＴＣＰ／ＩＰに基づくイーサネット、インターネット、Ｗｉ−Ｆｉ無線インターネット等であってもよいし、例えば、２Ｇ、３Ｇ（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ、Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ：ＴＤ−ＳＣＤＭＡを含む）、ロング・ターム・エボリューション（ＬＴＥ：Ｌｏｎｇ  Ｔｅｒｍ  Ｅｖｏｌｕｔｉｏｎ）、或いはワイマックス（ＷＩＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）を含む移動通信ネットワークとしてもよい。
【００３４】
前記簡単な身元情報は、ユーザーの氏名、ユーザーのニックネーム、ユーザーの会社名、ユーザーの顔写真、ユーザー自身が設定した自分を表す画像を含むが、これに限らない。
【００３５】
前記電子名刺の情報は、氏名、電話、ｅ−ｍａｉｌ、会社、部門、職務、住所等を含む文字形式のユーザーの連絡先情報、ユーザーの名刺の画像、ユーザーの顔写真、ユーザーにより伝達が必要と指定されたその他の文字、音声、画像、動画等のマルチメディア情報を含むが、これに限らない。
【００３６】
位置決め手段１２１は、現在の地理位置情報を取得するのに用いられる。ここで、前記地理位置は、モバイルクライアント１２がどの通信装置であるかによって情報源が異なる。よく用いられる携帯電話を例にあげると、前記地理位置情報は、（１）携帯電話に内蔵されるＧＰＳ装置が自動的に取得するＧＰＳ情報、（２）携帯電話が現在存在する携帯電話基地局の位置情報を含むが、これに限らない。
【００３７】
ブルートゥース情報提供手段１２２は、配備されているブルートゥース通信機器の名称、及びブルートゥース通信機器が検知したその他全てのブルートゥース通信機器の名称のネームリストを提供するのに用いられる。
【００３８】
モバイルクライアント１２には、ブルートゥース通信機器が配備されている。ブルートゥース（Ｂｌｕｅｔｏｏｔｈ）無線技術は、実際には短距離無線通信技術であり、ブルートゥース無線技術を利用することで、例えばＰＤＡ、ノートパソコン及び携帯電話などの移動通信端末機器間における通信を効果的に簡略化可能であるとともに、これら機器とインターネット（Ｉｎｔｅｒｎｅｔ）間の通信も簡略化可能なため、これら現代通信機器をケーブルを介さずにネットワーク化し、巨大な無線通信ネットワークを構築することができる。
【００３９】
実際の応用においては、モバイルクライアント１２のブルートゥース通信機器に名称を付けたり、名称を変更したりすることができる。
【００４０】
前記ブルートゥース通信機器を用いる際には、周辺に通信接続可能なその他のブルートゥース通信機器が存在するか否かを検知し、検知したブルートゥース通信機器の名称を列挙してネームリストを作成し、ネームリストからブルートゥース通信機器を選択し、これと整合接続を構築することで、データ通信を実現することができる。
【００４１】
表示手段１２３は、例えば、前記電子名刺伝達サーバー１０からの、所定の距離範囲内で且つブルートゥース通信機器の検知範囲内に存在する周辺のモバイルクライアントに対応するユーザーのユーザーリスト、ユーザーリスト内の各ユーザーの簡単な身元情報、及び各ユーザーの電子名刺といった各種情報を表示するのに用いられる。本発明において、前記表示手段はＬＣＤ液晶表示パネルとしてもよい。ここでいう所定距離範囲は、実際の応用環境に応じた設定とすればよい。
【００４２】
選択手段１２４は、表示手段１２３に表示されている電子名刺伝達サーバー１０からのユーザーリストより、１又は複数のユーザーを電子名刺伝達の対象ユーザーとして選択するのに用いられる。
【００４３】
電子名刺伝達要求手段１２５は、選択手段１２４が選択した対象ユーザーに対して電子名刺伝達要求を生成するのに用いられる。本発明において、前記電子名刺伝達要求は、（１）選択した対象ユーザーへ自分の電子名刺を伝達すること、（２）選択した対象ユーザーから相手（達）の電子名刺を取得すること、（３）選択した対象ユーザーと電子名刺を交換すること、を含むがこれに限らない。これら３つの状況について、電子名刺伝達要求手段１２５を介していずれかを選択する。
【００４４】
そして、前記電子名刺伝達要求は、情報送受信手段１２０を介して電子名刺伝達サーバー１０に送信された後、電子名刺伝達サーバー１０によって、選択された対象ユーザーに対応する１又は複数のモバイルクライアント１２に送信され、その後、選択された対象ユーザーが前記電子名刺伝達要求を確認する。
【００４５】
要求確認手段１２６は、要求ユーザーに対応するモバイルクライアント１２から送信された電子名刺伝達要求を確認し、前記確認情報を電子名刺伝達サーバー１０に送信するために用いられる。
【００４６】
通常、対象ユーザーは要求ユーザーのモバイルクライアント１２から送信された電子名刺伝達要求を受信すると、前記電子名刺伝達要求の確認が必要か否かを判断すべく、要求ユーザーの簡単な身元情報を閲覧することができる。前記電子名刺伝達要求を承認する場合には、要求確認手段１２６によって確認し、前記電子名刺伝達要求を承認しない場合は、要求確認手段１２６によってキャンセル又は拒否する。
【００４７】
言うまでもなく、上述の前記電子名刺伝達要求に対する確認動作は、更に他の変形が可能である。例えば、１の場合として、対象ユーザーは、電子名刺の伝達又は交換を自動的に確認及び実現するように、即ち、要求ユーザーから伝達された電子名刺を自動的に受信する、又は要求ユーザーと自動的に電子名刺の交換を行うように、要求確認手段１２６を予め設定してもよい。また、他の場合として、対象ユーザーは、電子名刺伝達要求が前記対象ユーザーに関連する場合には前記対象ユーザーに確認情報を求めることなく、電子名刺伝達要求の内容を直接実行して電子名刺を伝達するよう、予め電子名刺伝達サーバー１０に通知しておいてもよい。
【００４８】
記憶手段１２７は、自身のユーザーの電子名刺、及び、情報送受信手段１２０によって受信された、電子名刺伝達サーバー１０が対象ユーザーに対応するモバイルクライアント１２の確認情報に応答して送信した対象ユーザーの電子名刺を記憶するのに用いられる。
【００４９】
電子名刺伝達サーバー１０は、受信した要求ユーザーに対応するモバイルクライアント１２から送信された現在の地理位置情報、配備されているブルートゥース通信機器の名称、及び前記ブルートゥース通信機器が検知したその他全てのブルートゥース通信機器の名称のネームリストに基づき、要求ユーザーに対応するモバイルクライアント１２に対し、所定の距離範囲内で且つブルートゥース通信機器の検知範囲内に存在する周辺のモバイルクライアントに対応するユーザーのユーザーリストを送信するとともに、選択された対象ユーザーに対応するモバイルクライアント１２に前記電子名刺伝達要求を送信し、対象ユーザーに対応するモバイルクライアント１２から送信された確認情報を受信すると前記電子名刺伝達要求に応答して、要求ユーザーの電子名刺を対象ユーザーに対応するモバイルクライアント１２に伝達し、及び／又は対象ユーザーの電子名刺を要求ユーザーに対応するモバイルクライアント１２に伝達するのに用いられる。
【００５０】
図２に示すように、電子名刺伝達サーバー１０は、情報送受信手段１００、データベース１０１、地理位置情報確認手段１０２、ブルートゥース情報検出手段１０３、身元情報提供手段１０４、電子名刺提供手段１０５、及び更新手段１０６を含む。
【００５１】
情報送受信手段１００は、モバイルクライアント１２と通信接続を構築し、情報の相互交換を行うのに用いられる。本発明において、前記情報は、モバイルクライアント１２の現在の地理位置情報、配備されているブルートゥース通信機器の名称、及び前記ブルートゥース通信機器が検知したその他全てのブルートゥース通信機器の名称のネームリスト、ユーザーの簡単な身元情報及び電子名刺などを含む。
【００５２】
モバイルクライアント１２には、ブルートゥース通信機器が配備されている。
【００５３】
実際の応用においては、モバイルクライアント１２のブルートゥース通信機器に名称を付けたり、名称を変更したりすることができるとともに、通信接続可能な周辺のその他のブルートゥース通信機器の名称を表示可能である。
【００５４】
前記簡単な身元情報は、ユーザーの氏名、ユーザーのニックネーム、ユーザーの会社名、ユーザーの顔写真、ユーザー自身が設定した自分を表す画像を含むが、これに限らない。
【００５５】
前記電子名刺の情報は、氏名、電話、ｅ−ｍａｉｌ、会社、部門、職務、住所等を含む文字形式のユーザーの連絡先情報、ユーザーの名刺の画像、ユーザーの顔写真、ユーザーにより伝達が必要と指定されたその他の文字、音声、画像、動画等のマルチメディア情報を含むが、これに限らない。
【００５６】
データベース１０１は、各前記モバイルクライアントから送信された現在の地理位置情報、配備されているブルートゥース通信機器の名称、ブルートゥース通信機器が検知したその他全てのブルートゥース通信機器の名称のネームリスト、各前記モバイルクライアントに対応するユーザーの簡単な身元情報及び／又は電子名刺を記憶するのに用いられる。
【００５７】
本発明において、前記ユーザーの簡単な身元情報及び電子名刺は、前記地理位置情報と共に前記電子名刺伝達サーバーに送信されてもよいし、或いは、前記電子名刺伝達サーバーに予め記憶しておいてもよい。
【００５８】
前記電子名刺は、要求ユーザーが電子名刺伝達要求を提示したとき、及び対象ユーザーが電子名刺伝達要求を確認したときに前記電子名刺伝達サーバーに送信されるか、或いは、要求ユーザーと対象ユーザーによって前記電子名刺伝達サーバーに予め記憶されている。
【００５９】
地理位置情報確認手段１０２は、要求ユーザーに対応するモバイルクライアント１２から送信された現在の地理位置情報を受信すると、その他のユーザーと要求ユーザーとの距離が所定の距離範囲内であるか否かを判定すべく、要求ユーザーに対応するモバイルクライアント１２の現在の地理位置情報と、その他のユーザーに対応するモバイルクライアント１２の現在の地理位置情報を分析するのに用いられる。本発明において、ここでいう所定距離範囲は、実際の応用環境に応じた設定とすればよい。
【００６０】
ブルートゥース情報検出手段１０３は、要求ユーザーに対応するモバイルクライアント１２から送信された、配備されているブルートゥース通信機器の名称、及び前記ブルートゥース通信機器が検知したその他全てのブルートゥース通信機器の名称のネームリストを受信すると、前記ネームリストからブルートゥース通信機器の検知範囲内に存在するユーザーを検出するのに用いられる。
【００６１】
上述のブルートゥース通信機器の検知範囲内に存在するユーザーの検出において、当該ユーザーとは、ユーザーに対応するモバイルクライアントに配備されたブルートゥース通信機器の名称が、要求ユーザーに対応するモバイルクライアントから送信された、検知したその他全てのブルートゥース通信機器の名称のネームリストに含まれるとともに、要求ユーザーに対応するモバイルクライアントに配備されたブルートゥース通信機器の名称が、ユーザーに対応するモバイルクライアントから送信された、検知したその他全てのブルートゥース通信機器の名称のネームリストに含まれる、との条件を満たすユーザーであり、要求ユーザーに対応するモバイルクライアントには、前記ユーザーリスト内のユーザーの簡単な身元情報が表示される。
【００６２】
身元情報提供手段１０４は、要求ユーザーに対応するモバイルクライアント１２から送信された現在の地理位置情報、配備されているブルートゥース通信機器の名称、及びブルートゥース通信機器が検知したその他全てのブルートゥース通信機器の名称のネームリストを受信すると、所定の距離範囲内であって且つブルートゥース情報検出手段１０３によって検出された、ブルートゥース通信機器の検知範囲内の周辺のモバイルクライアントに対応するユーザーのユーザーリストを、要求ユーザーに対応するモバイルクライアント１２に送信し、要求ユーザーがモバイルクライアント１２上で選択を行えるよう、モバイルクライアント１２に前記ユーザーリスト内のユーザーの簡単な身元情報を表示するのに用いられる。
【００６３】
続いて、要求ユーザーは、モバイルクライアント１２上でユーザーリストから１又は複数のユーザーを対象ユーザーとして選択し、対応する電子名刺伝達要求を提示することができる。電子名刺伝達サーバー１０の情報送受信手段１００は、更に、対象ユーザーに対応する１又は複数のモバイルクライアント１２に確認させるべく、前記電子名刺伝達要求を対象ユーザーに対応する１又は複数のモバイルクライアント１２に転送することができる。
【００６４】
本発明において、前記電子名刺伝達要求は、（１）選択した対象ユーザーへ自分の電子名刺を伝達すること、（２）選択した対象ユーザーから相手（達）の電子名刺を取得すること、（３）選択した対象ユーザーと電子名刺を交換すること、を含むがこれに限らない。これら３つの状況について、電子名刺伝達要求手段１２５を介していずれかを選択する。
【００６５】
電子名刺提供手段１０５は、対象ユーザーに対応するモバイルクライアント１２から送信された確認情報を受信すると前記電子名刺伝達要求に応答し、情報送受信手段１００によって、要求ユーザーの電子名刺を対象ユーザーに対応するモバイルクライアント１２に伝達し、及び／又は対象ユーザーの電子名刺を要求ユーザーに対応するモバイルクライアント１２に伝達する。
【００６６】
更新手段１０６は、新たなモバイルクライアントから提供された現在の地理位置情報、モバイルクライアントから提供された現在の地理位置情報の変更状況、ユーザーから提供された簡単な身元情報の変更状況、配備されているブルートゥース通信機器の名称の変更状況、及び／又はブルートゥース通信機器が検知したその他全てのブルートゥース通信機器の名称のネームリストの変更状況に基づき、ユーザーリストを更新し、更新したユーザーリストとユーザーリスト内のユーザーの簡単な身元情報を要求ユーザーに対応するモバイルクライアントへ送信するとともに、ユーザーの電子名刺における情報を更新する。
【００６７】
また、更新手段１０６によって更新された情報（現在の地理位置情報、配備されているブルートゥース通信機器の名称、ブルートゥース通信機器が検知したその他全てのブルートゥース通信機器の名称のネームリスト、簡単な身元情報、電子名刺の情報など）を、記憶データベース１０１に記憶してもよい。
【００６８】
本発明は、更に、地理位置情報とブルートゥース無線技術を組み合わせた電子名刺伝達方法を提供する。図３は、前記方法のフローチャートを示す。
【００６９】
図３に示すように、前記電子名刺伝達方法は以下を含む。
【００７０】
ステップＳ２０１において、モバイルクライアントは電子名刺伝達サーバーと通信接続を構築する。当該ステップにおいて、前記通信接続の構築は、モバイルクライアントが接続要求を提示し、電子名刺伝達サーバーの確認を経て通信接続が実現されるとしてもよいし、モバイルクライアントが電子名刺伝達サーバーが属するウェブサイトに直接ログインするようにしてもよい。前記通信接続を構築するステップを当業者は熟知しているため、ここでは詳述しない。
【００７１】
ステップＳ２０３において、要求ユーザーはモバイルクライアントを用いて、現在の地理位置情報、配備されているブルートゥース通信機器の名称、及び前記ブルートゥース通信機器が検知したその他全てのブルートゥース通信機器の名称のネームリストを、前記モバイルクライアントと通信接続を構築している電子名刺伝達サーバーに送信し、前記電子名刺伝達サーバーから、所定の距離範囲内で且つブルートゥース通信機器の検知範囲内に存在する周辺のモバイルクライアントに対応するユーザーのユーザーリストを取得し、要求ユーザーに対応するモバイルクライアントに、前記ユーザーリスト内のユーザーの簡単な身元情報が表示される。
【００７２】
なお、本発明では、現在の地理位置情報を送信する際に、要求ユーザーの簡単な身元情報を前記電子名刺伝達サーバーに送信してもよい。言うまでもなく、その他の場合として、前記簡単な身元情報は前記電子名刺伝達サーバーに予め記憶されていてもよい。
【００７３】
なお、本発明では、ステップＳ２０３は実際の応用によっては別の実施形態とすることもできる。
【００７４】
図４を参照して、同図は、一実施形態におけるステップＳ２０３のフローチャートである。図４に示すように、ステップＳ２０３は次のように分割される。ステップＳ２０３ａにおいて、要求ユーザーはモバイルクライアントを用いて、現在の地理位置情報、配備されているブルートゥース通信機器の名称、及び前記ブルートゥース通信機器が検知したその他全てのブルートゥース通信機器の名称のネームリストを、前記モバイルクライアントと通信接続を構築している電子名刺伝達サーバーに一括送信する。ステップＳ２０３ｂにおいて、電子名刺伝達サーバーは、要求ユーザーに対応するモバイルクライアントから送信された現在の地理位置情報、配備されているブルートゥース通信機器の名称、及び前記ブルートゥース通信機器が検知したその他全てのブルートゥース通信機器の名称のネームリストに基づき、要求ユーザーに対応するモバイルクライアントとの距離が所定の距離範囲内で且つブルートゥース通信機器の検知範囲内である周辺のモバイルクライアントに対応するユーザーのユーザーリストを、要求ユーザーに対応するモバイルクライアントへ送信し、前記モバイルクライアントに、前記ユーザーリスト内のユーザーの簡単な身元情報を表示する。
【００７５】
図５を参照して、同図は、他の実施形態におけるステップＳ２０３のフローチャートである。図５に示すように、ステップＳ２０３は次のように分割される。ステップＳ２０３ａ’において、要求ユーザーはモバイルクライアントを用いて、まず現在の地理位置情報を前記モバイルクライアントと通信接続を構築している電子名刺伝達サーバーに送信する。ステップＳ２０３ｂ’において、要求ユーザーに対応するモバイルクライアントの現在の地理位置情報に応じて、前記電子名刺伝達サーバーは要求ユーザーに対して、所定の距離範囲内の全てのユーザーのユーザーリスト及びそれに対応する簡単な身元情報を提供し、要求ユーザーに対応するモバイルクライアントに表示する。ステップＳ２０３ｃ’において、要求ユーザーは前記モバイルクライアントを用いて、配備されているブルートゥース通信機器の名称、及び前記ブルートゥース通信機器が検知したその他全てのブルートゥース通信機器の名称のネームリストを前記電子名刺伝達サーバーへ送信する。ステップＳ２０３ｄ’において、要求ユーザーに対応するモバイルクライアントに配備されているブルートゥース通信機器の名称、及び前記ブルートゥース通信機器が検知したその他全てのブルートゥース通信機器の名称のネームリストに応じて、前記電子名刺伝達サーバーは、元の、所定の距離範囲内のユーザーリストにおけるユーザーを選別し、ブルートゥース通信機器の検知範囲内に存在するターゲットユーザーを検出する。当該ターゲットユーザーとは、ターゲットユーザーに対応するモバイルクライアントに配備されたブルートゥース通信機器の名称が、要求ユーザーに対応するモバイルクライアントから送信された、検知したその他全てのブルートゥース通信機器の名称のネームリストに含まれるとともに、要求ユーザーに対応するモバイルクライアントに配備されたブルートゥース通信機器の名称が、ターゲットユーザーに対応するモバイルクライアントから送信された、検知したその他全てのブルートゥース通信機器の名称のネームリストに含まれる、との条件を満たすユーザーである。また、要求ユーザーに対応するモバイルクライアントには、前記ユーザーリスト内のターゲットユーザーの簡単な身元情報が表示される。
【００７６】
図６を参照して、同図は、別の実施形態におけるステップＳ２０３のフローチャートである。図６に示すように、ステップＳ２０３は次のように区分される。ステップＳ２０３Ａにおいて、要求ユーザーはモバイルクライアントを用いて、まず、配備されているブルートゥース通信機器の名称、及び前記ブルートゥース通信機器が検知したその他全てのブルートゥース通信機器の名称のネームリストを、前記モバイルクライアントと通信接続を構築している電子名刺伝達サーバーに送信する。ステップＳ２０３Ｂにおいて、要求ユーザーに対応するモバイルクライアントに配備されているブルートゥース通信機器の名称、及び前記ブルートゥース通信機器が検知したその他全てのブルートゥース通信機器の名称のネームリストに応じて、前記電子名刺伝達サーバーはブルートゥース通信機器の検知範囲内に存在するユーザーを検出する。当該ユーザーとは、ユーザーに対応するモバイルクライアントに配備されたブルートゥース通信機器の名称が、要求ユーザーに対応するモバイルクライアントから送信された、検知したその他全てのブルートゥース通信機器の名称のネームリストに含まれるとともに、要求ユーザーに対応するモバイルクライアントに配備されたブルートゥース通信機器の名称が、ユーザーに対応するモバイルクライアントから送信された、検知したその他全てのブルートゥース通信機器の名称のネームリストに含まれる、との条件を満たすユーザーである。また、要求ユーザーに対応するモバイルクライアントに、前記ユーザーリスト内のユーザーの簡単な身元情報が表示される。ステップＳ２０３Ｃにおいて、要求ユーザーは前記モバイルクライアントを用いて、地理位置情報を前記電子名刺伝達サーバーに送信する。ステップＳ２０３Ｄにおいて、要求ユーザーに対応するモバイルクライアントの現在の地理位置情報に応じて、前記電子名刺伝達サーバーは、元の、ブルートゥース通信機器の検知範囲内のユーザーリストにおけるユーザーを選別して、所定の距離範囲内に存在するターゲットユーザーを検出し、要求ユーザーに対応するモバイルクライアントに、前記ユーザーリスト内のターゲットユーザーの簡単な身元情報を表示する。
【００７７】
ここで、図６に示す実施形態では、まずステップＳ２０３Ｂを実行してブルートゥース通信機器の検知範囲内に存在するユーザーを検出してから、ステップＳ２０３Ｄを実行し、地理位置情報に基づいてユーザーリストについて選別を行う。このようにすれば、名称設定が同一のブルートゥース通信機器を、更に地理位置に基づいて区別することができるため、混乱が回避される。
【００７８】
言うまでもなく、上記はステップＳ２０３の実現形態の一部であるが、これに限定されない。
【００７９】
ステップＳ２０５において、要求ユーザーは、前記モバイルクライアントに表示された前記ユーザーリストから１又は複数のユーザーを電子名刺伝達の対象ユーザーとして選択し、電子名刺伝達要求を提示するとともに、前記電子名刺伝達要求を前記電子名刺伝達サーバーへ送信し、前記電子名刺伝達サーバーが、選択された対象ユーザーに対応するモバイルクライアントに前記電子名刺伝達要求を送信する。
【００８０】
本発明において、前記電子名刺伝達要求は、（１）選択した対象ユーザーへ自分の電子名刺を伝達すること、（２）選択した対象ユーザーから相手（達）の電子名刺を取得すること、（３）選択した対象ユーザーと電子名刺を交換すること、を含むがこれに限らない。これら３つの状況について、電子名刺伝達要求手段１２５を介していずれかを選択する。
【００８１】
ステップＳ２０７において、前記電子名刺伝達サーバーは、対象ユーザーに対応する前記モバイルクライアントから送信された確認情報を受信すると前記電子名刺伝達要求に応答して、要求ユーザーの電子名刺を対象ユーザーに対応するモバイルクライアントに伝達し、及び／又は対象ユーザーの電子名刺を要求ユーザーに対応するモバイルクライアントに伝達する。
【００８２】
前記電子名刺は、要求ユーザーが電子名刺伝達要求を提示したとき、及び対象ユーザーが電子名刺伝達要求を確認したときに前記電子名刺伝達サーバーに送信されるか、或いは、要求ユーザーと対象ユーザーによって前記電子名刺伝達サーバーに予め記憶されている。
【００８３】
通常、対象ユーザーは要求ユーザーのモバイルクライアントから送信された電子名刺伝達要求を受信すると、前記電子名刺伝達要求の確認が必要か否かを判断すべく、要求ユーザーの簡単な身元情報を閲覧することができる。前記電子名刺伝達要求を承認する場合には確認し、確認情報を前記電子名刺伝達サーバーへ送信し、前記電子名刺伝達要求を承認しない場合には、キャンセル又は拒否する。
【００８４】
当然ながら、上述の前記電子名刺伝達要求に対する確認動作は、更にその他の変形が可能である。例えば、対象ユーザーは、電子名刺の伝達又は交換を自動的に確認及び実現するように、即ち、要求ユーザーから伝達された電子名刺を自動的に受信する、又は要求ユーザーと自動的に電子名刺の交換を行うように、対応する前記モバイルクライアントを予め設定してもよい。
【００８５】
また、本発明では、電子名刺伝達サーバーは更に、新たなモバイルクライアントから提供された現在の地理位置情報、モバイルクライアントから提供された現在の地理位置情報の変更状況、及び／又はユーザーから提供された簡単な身元情報の変更状況に基づいて、ユーザーリストを更新し、更新したユーザーリストとユーザーリストにおけるユーザーの簡単な身元情報を要求ユーザーに対応するモバイルクライアントへ送信するとともに、ユーザーの電子名刺における情報を更新する。
【００８６】
以下に、特定情報の取得における本発明の応用について、実例を用いて詳細に説明する。
【実施例１】
【００８７】
要求ユーザーＡは、携帯電話ａに名刺伝達機能を備えるソフトウェアを配備しており、ウェブサイトＷのサーバーと通信接続を構築する。要求ユーザーＡは携帯電話ａを用いて、携帯電話ａの現在の地理位置情報、配備されているブルートゥース通信機器の名称、前記ブルートゥース通信機器が検知したその他全てのブルートゥース通信機器の名称のネームリスト、及び要求ユーザーＡの簡単な身元情報をウェブサイトＷのサーバーにアップロードする。ウェブサイトＷのサーバーは、携帯電話ａの現在の地理位置情報、配備されているブルートゥース通信機器の名称、及び前記ブルートゥース通信機器が検知したその他全てのブルートゥース通信機器の名称のネームリストに基づき、携帯電話ａから一定の距離範囲（例えば５００ｍ）内であり、且つブルートゥース通信機器の検知範囲内に存在するその他の携帯電話（仮に携帯電話ｂ，ｃ，ｄ，ｅ，ｆとする）のユーザー（仮にＢ，Ｃ，Ｄ，Ｅ，Ｆとする）のユーザーリストを携帯電話ａへ送信し、ユーザーリスト内の各ユーザーＢ，Ｃ，Ｄ，Ｅ，Ｆの簡単な身元情報を表示する。要求ユーザーＡは、各ユーザーＢ，Ｃ，Ｄ，Ｅ，Ｆの簡単な身元情報を閲覧し、実際の必要に応じて、ユーザーＢ，Ｃを対象ユーザーとして選択する。そして、ユーザーＢ，Ｃに要求ユーザーＡの電子名刺を伝達する旨の電子名刺伝達要求を提示し、前記電子名刺伝達要求をウェブサイトＷのサーバーを介してユーザーＢ，Ｃに対応する携帯電話ｂ，ｃへ送信する。ウェブサイトＷのサーバーは携帯電話ｂ，ｃからの確認情報を受信すると、前記電子名刺伝達要求に応答して、要求ユーザーＡの電子名刺をユーザーＢ，Ｃに対応する携帯電話ｂ，ｃに送信する。
【００８８】
また、本第１実施例では、ユーザーＢ，Ｃのいずれか一方（ユーザーＢ又はユーザーＣ）が要求ユーザーＡから提示された電子名刺伝達要求を確認すると、ウェブサイトＷのサーバーは、確認した方のユーザーに対応する携帯電話のみに要求ユーザーＡの電子名刺を伝達し、ユーザーＢ，Ｃのいずれも要求ユーザーＡが提示した電子名刺伝達要求を確認しなかった場合には、ウェブサイトＷのサーバーは処理を行わない。
また、上述の前記電子名刺伝達要求に対する確認動作はその他の変形が可能であり、例えば、ユーザーＢ，Ｃは、携帯電話ｂ，ｃを自動確認するよう予め設定しておいてもよいし、確認なしで電子名刺の伝達を直接行ってもよい旨をウェブサイトＷのサーバーに予め通知しておいてもよい。
【実施例２】
【００８９】
要求ユーザーＡは、携帯電話ａに名刺伝達機能を備えるソフトウェアを配備しており、ウェブサイトＷのサーバーと通信接続を構築する。要求ユーザーＡは携帯電話ａを用いて、携帯電話ａの現在の地理位置情報、配備されているブルートゥース通信機器の名称、前記ブルートゥース通信機器が検知したその他全てのブルートゥース通信機器の名称のネームリスト、及び要求ユーザーＡの簡単な身元情報を、ウェブサイトＷのサーバーにアップロードする。ウェブサイトＷのサーバーは、携帯電話ａの現在の地理位置情報、配備されているブルートゥース通信機器の名称、前記ブルートゥース通信機器が検知したその他全てのブルートゥース通信機器の名称のネームリストに基づき、携帯電話ａから一定の距離範囲（例えば５００ｍ）内であり、且つブルートゥース通信機器の検知範囲内に存在するその他の携帯電話（仮に携帯電話ｂ，ｃ，ｄ，ｅ，ｆとする）のユーザー（仮にＢ，Ｃ，Ｄ，Ｅ，Ｆとする）のユーザーリストを携帯電話ａへ送信し、ユーザーリスト内の各ユーザーＢ，Ｃ，Ｄ，Ｅ，Ｆの簡単な身元情報を表示する。要求ユーザーＡは、各ユーザーＢ，Ｃ，Ｄ，Ｅ，Ｆの簡単な身元情報を閲覧し、実際の必要に応じて、ユーザーＢ，Ｃ，Ｄを対象ユーザーとして選択する。そして、ユーザーＢ，Ｃ，Ｄからこれらの電子名刺を取得する旨の電子名刺伝達要求を提示し、前記電子名刺伝達要求をウェブサイトＷのサーバーを介してユーザーＢ，Ｃ，Ｄに対応する携帯電話ｂ，ｃ，ｄへ送信する。ウェブサイトＷのサーバーは携帯電話ｂ，ｃ，ｄからの確認情報を受信すると、前記電子名刺伝達要求に応答して、ユーザーＢ，Ｃ，Ｄの電子名刺を要求ユーザーＡに対応する携帯電話ａに送信する。
【実施例３】
【００９０】
要求ユーザーＡは、携帯電話ａに名刺伝達機能を備えるソフトウェアを配備しており、ウェブサイトＷのサーバーと通信接続を構築する。要求ユーザーＡは携帯電話ａを用いて、携帯電話ａの現在の地理位置情報、配備されているブルートゥース通信機器の名称、前記ブルートゥース通信機器が検知したその他全てのブルートゥース通信機器の名称のネームリスト、及び要求ユーザーＡの簡単な身元情報を、ウェブサイトＷのサーバーにアップロードする。ウェブサイトＷのサーバーは、携帯電話ａの現在の地理位置情報、配備されているブルートゥース通信機器の名称、前記ブルートゥース通信機器が検知したその他全てのブルートゥース通信機器の名称のネームリストに基づき、携帯電話ａから一定の距離範囲（例えば１００ｍ）内であり、且つブルートゥース通信機器の検知範囲内に存在するその他の携帯電話（仮に携帯電話ｂ，ｃ，ｄ，ｅ，ｆとする）のユーザー（仮にＢ，Ｃ，Ｄ，Ｅ，Ｆとする）のユーザーリストを携帯電話ａへ送信し、ユーザーリストにおける各ユーザーＢ，Ｃ，Ｄ，Ｅ，Ｆの簡単な身元情報を表示する。要求ユーザーＡは、各ユーザーＢ，Ｃ，Ｄ，Ｅ，Ｆの簡単な身元情報を閲覧し、実際の必要に応じて、ユーザーＣ，Ｅを対象ユーザーとして選択する。そして、ユーザーＣ，Ｅと電子名刺を交換する旨の電子名刺伝達要求を提示し、前記電子名刺伝達要求をウェブサイトＷのサーバーを介してユーザーＣ，Ｅに対応する携帯電話ｃ，ｅへ送信する。ウェブサイトＷのサーバーは携帯電話ｃ，ｅからの確認情報を受信すると、前記電子名刺伝達要求に応答して、ユーザーＣ，Ｅの電子名刺を要求ユーザーＡに対応する携帯電話ａに送信し、要求ユーザーＡの電子名刺をユーザーＣ，Ｅに対応する携帯電話ｃ，ｅへそれぞれ送信する。
【００９１】
以上述べたように、本発明は、地理位置情報とブルートゥース無線技術を組み合わせた電子名刺伝達方法及びシステムを提供する。当該方法及びシステムは、電子名刺伝達サーバーを用いて、各モバイルクライアントの地理位置情報、配備されているブルートゥース通信機器の名称、ブルートゥース通信機器が検知したその他全てのブルートゥース通信機器の名称のネームリスト、及びユーザーの簡単な身元情報を収集することで、要求ユーザーがこれら情報に基づいて、所定の距離範囲内であって且つブルートゥース通信機器の検知範囲内に存在する１又は複数のユーザーを選択して電子名刺の伝達を行うことを可能とするため、電子名刺の伝達が利便化され、従来技術と比較して操作が簡単となり、且つ電子名刺の内容の精度と安全性が保証される。
【００９２】
また、本発明によれば、ブルートゥース通信機器の接続状況のみからユーザー間の地理位置上の距離を見積もることができるため、実際にブルートゥース接続を構築する必要がなく、ブルートゥース無線通信接続の構築に必要なパスワード入力の手間を省くことができる。
【００９３】
上記の実施例は、本発明の原理及び効果を説明するための例示にすぎず、本発明を限定するものではない。当業者は、本発明の主旨及び範囲から逸脱しないことを前提に、上記の実施例を変更することができる。よって、本発明の権利保護の範囲は、特許請求の範囲に列挙されるものと解釈すべきである。
【図１】
0005830732.tif 000002
【図２】
0005830732.tif 000003
【図３】
0005830732.tif 000004
【図４】
0005830732.tif 000005
【図５】
0005830732.tif 000006
【図６】
0005830732.tif 000007